(57)【要約】【課題】  モノクロ写真において、色調（純黒調／温黒調／冷黒調）やコントラスト（硬調／軟調）は重要な要素であるが、慣れている人でないと好ましい色調やコントラストにするために何枚も印刷を繰り返さないといけない。【解決手段】  画像の被写体の種類によって好ましい色調／コントラストを与えるパラメータをあらかじめ設定しておき、ユーザーのシーン選択や画像データの解析により、被写体の種類を判別する。【選択図】  図１
2008067296.tif 000002
【特許請求の範囲】
【請求項１】
複数の色材を備えて、色調を変えたモノクロ写真をプリントすることのできる画像記録方法において、
画像データの被写体の種類を判定する工程と、判定された被写体種類に応じてあらかじめ定められた好ましい色調および／またはコントラストにするためのパラメータをセットする工程と、前記パラメータに応じて画像データを変換し、プリントする工程を備えたことを特徴とするモノクロ画像記録方法。
【請求項２】
前記画像記録方法において、被写体の種類は、ユーザーがシーンを選択することにより判定されることを特徴とする請求項１に記載のモノクロ画像記録方法。
【請求項３】
前記画像記録方法において、被写体の種類は、画像データを解析し、顔検出処理により判定されることを特徴とする請求項１に記載のモノクロ画像記録方法。
【請求項４】
前記画像記録方法において、被写体の種類は、画像データの空間周波数分布を解析し、判定されることを特徴とする請求項１に記載のモノクロ画像記録方法。
【請求項５】
前記画像記録方法において、被写体の種類は、画像データに含まれる、撮影時における撮影条件情報より判定されることを特徴とする請求項１に記載のモノクロ画像記録方法。
【請求項６】
複数の色材を備えて、色調を変えたモノクロ写真をプリントすることのできる画像記録装置において、
画像データの被写体の種類を判定する装置と、判定された被写体種類に応じてあらかじめ定められた好ましい色調、コントラストにするためのパラメータをセットする装置と、前記パラメータに応じて画像データを変換し、プリントする装置を備えたことを特徴とするモノクロ画像記録装置。
【請求項７】
複数の色材を備えて、色調を変えたモノクロ写真をプリントすることのできる画像記録装置に送信する画像データを生成するプログラムにおいて、
画像データの被写体の種類を判定する工程と、判定された被写体種類に応じてあらかじめ定められた好ましい色調、コントラストにするためのパラメータをセットする工程と、前記パラメータに応じて画像データを変換し、画像記録装置に送信してプリントする工程とをコンピュータに実行させることを特徴とするモノクロ画像生成プログラム。
【請求項８】
請求項７に記載のプログラムを格納したことを特徴とするコンピュータ可読記憶媒体。
【請求項９】
請求項７に記載のプログラムを実行させるプリンタドライバ。
【発明の詳細な説明】
【技術分野】
【０００１】
本発明は、画像処理装置、印刷装置および画像処理方法に関し、詳しくは、モノクロ画像の色調および／またはコントラストを決定するための画像処理に関するものである。
【背景技術】
【０００２】
近年、プリンタやデジタルカメラの高性能化、低価格化に伴い、一般ユーザーによるデジタル写真のプリントが一般化しつつある。さらに、プリンタにおいて、カラー写真だけではなく、モノクロ写真の出力にも重点を置き、モノクロ写真印刷専用のインクを備えたり、専用のモードを備えたりする製品も出てきていて、モノクロ写真がより身近なものになってきている。
【０００３】
モノクロ写真においては、黒の色調が写真の印象を決めるに当たり大変重要である。黒の色調には、いわゆるニュートラルの色調である「純黒調」、より温かみを加えた「温黒調（ウォームトーン）」、冷たさを加えた「冷黒調（クールトーン）」といったものがある。さらに、コントラストも重要である。よりコントラストの高い画像を「硬調」、コントラストの低い画像を「軟調」と言う。
【０００４】
従来の銀塩写真におけるこれら色調とコントラストのコントロールには、印画紙の種類を選択するといった方法で行っていた。
【０００５】
デジタル写真のプリントにおいては、一般的には元画像データを印刷用のインクの信号値に変換するパラメータを印刷用紙や印刷モードに応じて複数もっている。このパラメータを適切に設定することにより、モノクロ写真においても好ましい色調（純黒調や温黒調、冷黒調）やコントラスト（硬調、軟調）を、印刷用紙やインクを変更することなく実現することができる。
【０００６】
モノクロ写真における、好ましい色調を与えるための変換パラメータは従来より開示されている。
【０００７】
特開２００５−２１７９８５では、純黒調、温黒調、冷黒調の好ましい色度点が開示されている。
【０００８】
特開２００４−１４２４２３では、色調を変換した複数のモノクロ画像を印刷し、ユーザーが好みの色調を選択し指定することで、ユーザーが色調を設定する方法が開示されている。
【０００９】
特開２００５−２３３８では、中間、暖色、冷色、又はセピアのグレー色調を有する白黒画像を作り出すためのインクセットが開示されている。
【００１０】
これら発明により、ユーザーはモノクロ写真を好みの色調を選択してプリントすることが可能となった。
【００１１】
さらに、最近のデジタル写真プリントの一般化の傾向を受けて、多数のアプリケーションソフトやプリンタドライバの機能で、元の画像をより好ましくプリントされるように修正することも広く行われている。
【００１２】
主な画像補正としては、カラー画像において、全体の明るさや彩度を上げ、よりあざやかにくっきりと見せる処理や、肌色や緑、空などいわゆる「記憶色」の領域を検知し、記憶色領域のみ、より鮮やかにしたり、より好ましい色に補正したりする処理などがよく知られている。このような処理は、ユーザーやオペレータが手動で行う処理、画像を解析し、自動で行う処理、ユーザーがモードを指定することによって行う処理、撮影情報などの付加情報を解析して自動で行う処理などがある。
【特許文献１】特開２００５−２１７９８５号公報
【特許文献２】特開２００４−１４２４２３号公報
【特許文献３】特開２００５−２３３８号公報
【特許文献４】特開２００２−１８３７３号公報
【特許文献５】特開平８−６３５９７号公報
【特許文献６】特開２０００−１０５８２９号公報
【発明の開示】
【発明が解決しようとする課題】
【００１３】
ところで、画像記録装置においては、上記のようにユーザーがモノクロ写真の色調やコントラストを変更することができるが、このような調整は大変難しく、慣れている人でないと好ましい色調やコントラストにするために何枚も印刷し、試行錯誤を繰り返さないといけないという問題がある。試行錯誤を繰り返すことは、時間やインク、紙のロスになる。
【００１４】
本発明は上記問題点を解決するためになされたものであり、その目的とするところは、モノクロ写真において、ユーザーが試行錯誤を繰り返すことなく、モノクロ写真として好ましい色調やコントラストを自動的にパラメータ設定し、提供することにある。
【課題を解決するための手段】
【００１５】
そのために本発明においては、複数の色材を備えて、色調を変えたモノクロ写真をプリントすることのできる画像記録方法において、画像データの被写体の種類を判定する工程と、判定された被写体種類に応じてあらかじめ定められた好ましい色調および／またはコントラストにするためのパラメータをセットする工程と、前記パラメータに応じて画像データを変換し、プリントする工程を備えたことを特徴とするモノクロ画像記録方法を提供する。
【００１６】
好ましくは、被写体の種類は、ユーザーがシーンを選択することにより判定されることを特徴とする。
【００１７】
好ましくは、被写体の種類は、画像データを解析し、顔検出処理により判定されることを特徴とする。
【００１８】
好ましくは、被写体の種類は、画像データの空間周波数分布を解析し、判定されることを特徴とする。
【００１９】
好ましくは、被写体の種類は、画像データに含まれる、撮影時における撮影条件情報より判定されることを特徴とする。
【００２０】
さらに、複数の色材を備えて、色調を変えたモノクロ写真をプリントすることのできる画像記録装置において、画像データの被写体の種類を判定する装置と、判定された被写体種類に応じてあらかじめ定められた好ましい色調、コントラストにするためのパラメータをセットする装置と、前記パラメータに応じて画像データを変換し、プリントする装置を備えたことを特徴とするモノクロ画像記録装置を提供する。
【００２１】
さらに、複数の色材を備えて、色調を変えたモノクロ写真をプリントすることのできる画像記録装置に送信する画像データを生成するプログラムにおいて、画像データの被写体の種類を判定する工程と、判定された被写体種類に応じてあらかじめ定められた好ましい色調、コントラストにするためのパラメータをセットする工程と、前記パラメータに応じて画像データを変換し、画像記録装置に送信してプリントする工程とをコンピュータに実行させることを特徴とするモノクロ画像生成プログラムを提供する。
【発明の効果】
【００２２】
本発明によれば、モノクロ写真において、簡単に好ましい色調やコントラストを決定することができ、調整に慣れていないユーザーでも試行錯誤なしに好ましい出力画像を得ることができる。
【発明を実施するための最良の形態】
【００２３】
（第１の実施形態）
以下に図面を参照して本発明の第１の実施形態を詳細に説明する。
【００２４】
図1は本発明に適用可能なインクジェット記録装置の一例である。１は紙或いはプラスチックシートよりなる記録シートであって、カセット等に複数枚積層されたシート１が給紙ローラ（不図示）によって一枚ずつ供給される。一定間隔を隔てて配置され、夫々個々のステッピングモータ（図示せず）によって駆動する第１搬送ローラ対３及び第２搬送ローラ対４によって記録シート１は矢印Ａ方向に搬送される。
【００２５】
５は前記記録シート１に記録を行うためのインクジェット式の記録ヘッドおよびインクタンクで、インク吐出ヘッドおよびインクタンクからなる。インクは、Ｋインクタンク５ａ、Ｃインクタンク５ｂ、Ｍインクタンク５ｃ、Ｙインクタンク５ｄから紙に正対する面に配置されている不図示のインク吐出ヘッドへ供給され、ノズルから画信号に応じて吐出される。この記録ヘッド５はキャリッジ６に搭載され、該キャリッジ６にはベルト７及びプーリ８ａ，８ｂを介してキャリッジモータ１０が連結している。従って、前記キャリッジモータ１０の駆動により前記キャリッジ６がガイドシャフト９に沿って往復走査するように構成されている。
【００２６】
前記構成により、記録ヘッド５が矢印Ｂ方向に移動しながら画信号に応じてインクを記録シート１に吐出してインク像を記録し、必要に応じて記録ヘッド５はホームポジションに戻ってインク回復装置２によりノズルの目づまりを解消すると共に、搬送ローラ対３，４が駆動して記録シート１を矢印Ａ方向に１行分搬送する。これを繰り返すことによって記録シート１に所定記録を行うものである。
【００２７】
上記実施形態においては、４色のインクを吐出可能なインクジェット記録装置を用いて説明を加えてきたが、これに限定されるものではない。複数の色材を用いて異なった色調のモノクロ画像を表現可能であれば、有効に適用することが出来る。例えば、シアンやマゼンタインクの濃度の異なる同系色のインクを備える構成でも良いし、レッドやグリーン、オレンジなどの特色を用いてもよいし、無彩色インク（グレーインク）を備える構成でも良い。濃度や色調の異なる複数の無彩色インクを備える構成も有効である。さらに、インクジェット記録装置以外の記録装置であってもよい。
【００２８】
図２は、以上説明した本実施形態のインクジェットプリンタとこれに対するホストコンピュータを有して構成される本実施形態の印刷システムを示すブロック図である。
【００２９】
本システムは、概略、ホストコンピュータ１００、プリンタ１０６およびモニタ１０５を有して構成されるものである。すなわち、ホストコンピュータ１００には、例えばインクジェット方式のプリンタ１０６とモニタ１０５が双方向通信可能に接続されている。
【００３０】
ホストコンピュータ１００は、ＯＳ（オペレーティングシステム）１０２を有し、また、このＯＳ１００による管理下においてそれぞれの処理を行う、ワードプロセッサ、表計算、画像処理、インターネットブラウザ等のアプリケーション１０１、このアプリケーションによって発行され、出力画像を示す各種描画命令群（イメージ描画命令、テキスト描画命令、グラフィックス描画命令）を処理して印刷データを作成するプリンタドライバ１０３、および同様にアプリケーション１０１が発行する各種描画命令群を処理してモニタ１０６に表示を行うモニタドライバ１０４を同様のソフトウエアとして有している。
【００３１】
また、ホストコンピュータ１００は、上述のソフトウエアによって動作可能な各種ハードウエアとして中央演算処理装置ＣＰＵ１０８、ハードディスクドライバＨＤ１０７、ランダムアクセスメモリ（ＲＡＭ）１０９、リードオンリーメモリ（ＲＯＭ）１１０等を備える。すなわち、ＣＰＵ１０８は、上述のソフトウエアに従った処理にかかる信号処理を実行し、ハードディスクドライバ１０７によって駆動されるハードディスクやＲＯＭ１１０には、それらの各種ソフトウエアが予め格納されており、必要に応じて読み出されて用いられる。また、ＲＡＭ１０９は、上記ＣＰＵ１０８による信号処理実行のワークエリア等として用いられる。
【００３２】
以上の構成を有したプリントシステムにおいて、ユーザーは、アプリケーション１０１によってモニタ１０５に表示された表示画像に基づき、同様にアプリケーションによる処理を介して文字などのテキストに分類されるテキストデータ、図形などのグラフィックスに分類されるグラフィックスデータ、自然画などに分類されるイメージ画像データなどからなる画像データを作成することができる。
【００３３】
そして、この作成した画像データの印刷出力がユーザーによって指示されると、アプリケーション１０１はＯＳ１０２に印刷出力要求を行うとともに、グラフィックスデータ部分をグラフィックス描画命令、イメージ画像データ部分をイメージ描画命令として構成した、出力画像を示す描画命令群をＯＳ１０２に発行する。これに対し、ＯＳ１０２はアプリケーションの印刷出力要求を受け、その印刷を行うプリンタに対応したプリンタドライバ１０３に描画命令群を発行する。
【００３４】
プリンタドライバ１０３は、ＯＳ１０２から入力した印刷要求と描画命令群を処理しプリンタ１０５で印刷可能な形態の印刷データを作成してプリンタ１０５に転送する。この場合に、プリンタ１０５がラスタープリンタである場合は、プリンタドライバ１０３はＯＳ１０２からの描画命令に対して、順次画像補正処理を行い、そして順次ＲＧＢ２４ビットページメモリにラスタライズし、すべての描画命令をラスタライズした後にＲＧＢ２４ビットページメモリの内容をプリンタ１０５が印刷可能なデータ形式、例えばＣＭＹＫデータに変換を行いプリンタに転送する。
【００３５】
図３は、プリンタドライバ１０３で行われる処理を示す図である。プリンタドライバ１０３の処理は、大別して、画像種類判定処理１２０とパラメータ設定処理１２２と印刷用データ作成処理１２１からなる。
【００３６】
画像種類判定処理１２０は、ユーザーインターフェースからの設定や画像データの解析から、後述の判定処理により被写体の種類の判定を行う。判定された結果を元に、パラメータ設定処理１２２により、画像データを変換するパラメータを設定する。一方、印刷用データ作成処理１２１は、入力された色情報の描画命令をラスタライズし、パラメータ設定処理により設定されたパラメータを元にＲ、Ｇ、Ｂ２４ビットのページメモリにラスター画像を生成する。そして、所定の画素毎に印刷を行うプリンタの色再現性に依存したシアン（Ｃ）、マゼンタ（Ｍ）、イエロー（Ｙ）、ブラック（Ｋ）データを生成し、プリンタ１０６に転送する。
【００３７】
図４は、印刷用データ作成処理１２１で行う、画像処理を説明するブロック図である。本実施形態では、レッド（Ｒ）、グリーン（Ｇ）およびブルー（Ｂ）の輝度信号で表される８ビット（２５６階調）の画像データを、最終的にはインクジェットプリンタで用いる、シアン（Ｃ）、マゼンタ（Ｍ）、イエロー（Ｙ）およびブラック（Ｋ）それぞれ１ビットの記録データに変換する。
【００３８】
カラー画像であるＲＧＢ各色８ビットデータはまずモノクロ化処理部２０１において、モノクロ化される。すなわち、画像データのＲＧＢ信号をグレートーン（Ｒ＝Ｇ＝Ｂ）の輝度信号に変換する。この変換は、求める無彩色の輝度信号値をＬとすると、例えば、Ｌ＝０．３Ｒ＋０．６Ｇ＋０．１Ｂという変換式を用い、ＲＧＢをＬに置き換えることによって行う。この処理によってカラーデータの破棄が行われ、モノクロ化される。
【００３９】
続いて、パラメータ設定処理により設定された、色調、コントラスト、明るさなどの変換処理が行われる。コントラスト、明るさはパラメータ設定処理により設定された適切な変換関数を通して変換する。
【００４０】
色調の調整について説明する。上述の処理で求めたＬの値を用い、温黒調の場合は
Ｒ＝ＩＮＴ（２５５×（Ｌ／２５５）（１−ｍ））
Ｇ＝ＩＮＴ（２５５×（Ｌ／２５５）（１−ｍ））
Ｂ＝ＩＮＴ（２５５×（Ｌ／２５５）（１＋ｍ））
ここで、ｍはパラメータ設定処理により設定されたトーン調整係数で、例えば
０＜  ｍ＜０．５
と調整する。これにより、Ｒリッチで、ＧとＢは同レベルの画像データに調整され、温黒調が実現する。一方、冷黒調の場合は、
Ｒ＝ＩＮＴ（２５５×（Ｌ／２５５）（１＋ｍ））
Ｇ＝ＩＮＴ（２５５×（Ｌ／２５５）（１＋ｍ））
Ｂ＝ＩＮＴ（２５５×（Ｌ／２５５）（１−ｍ））
ここで、ｍは同様にパラメータ設定処理により設定されたトーン調整係数で、例えば
０＜ｍ＜０．５
と調整する。これにより、Ｂリッチで、ＲとＧは同レベルの画像データに調整され、冷黒調が実現する。
【００４１】
次に色変換処理部２０２において、３次元のルックアップテーブル（ＬＵＴ）によりプリンタの出力色に合わせたＣＭＹＫ各色８ビットデータに変換される。この処理は入力系のＲＧＢ系カラーから出力系のＣＭＹＫ系カラーに変換する処理である。入力データはディスプレイなど発光体の加法混色の３原色（ＲＧＢ）であることが多いが、該プリンタではＣＭＹＫの色材が用いられるので該変換処理が行われる。
【００４２】
色処理に用いられる３次元ＬＵＴは離散的にデータを保持しており、保持しているデータ間は補間処理で求めるが、該補間処理は公知の技術であるのでここでの詳細な説明は省略する。
【００４３】
色処理が施されたＣＭＹＫ各色８ビットデータは、出力ガンマ補正部２０３で１次元ＬＵＴによって出力γ補正が施され、Ｃ′、Ｍ′、Ｙ′、Ｋ′各８ビットのデータとなる。単位面積当たりの印字ドット数と出力特性（反射濃度など）の関係は多くの場合に線形関係とはならないので、出力γ補正を施すことでＣＭＹＫ８ビットの入力レベルと、その時の出力特性との線形関係とを保証する。
【００４４】
以上が色処理部の動作説明で、入力ＲＧＢ各色８ビットのデータが出力機器の有する色材ＣＭＹＫ各色８ビットのデータに変換される。
【００４５】
実施例におけるカラー記録装置は２値記録装置であるので上記ＣＭＹＫ各色８ビットのデータは次の量子化処理部２０４で各色２値データに量子化処理される。量子化方法は従来公知の誤差拡散法やディザ法が用いられる。
【００４６】
以上説明した色変換処理２０２、出力γ補正２０３および量子化処理２０４における最適な変換方法は、印刷媒体の種類や印刷する画像の種類等によって異なるのが一般的である。特に、色変換処理２０２と出力γ補正２０３で用いられるルックアップテーブルは、記録媒体の種類ごとに用意されているのが一般的となっている。
【００４７】
次に画像判定処理１２０の処理である、画像判定処理および、パラメータ設定処理について説明する。
【００４８】
発明者らは写っている被写体によって、好ましい色調、コントラストが異なることを見出した。具体的には、人物の時には色調は温黒調で、やや軟調が好まれる傾向にある。さらに金属光沢を持つ物体の場合には、色調は冷黒調で、コントラストは硬調が好まれる傾向にある。
【００４９】
図５はプリンタドライバからユーザーが被写体の種類を選択するためのユーザーインターフェース（UI）を示し、中間調画像を含む画面である。
【００５０】
ユーザーはシーン選択部のタグを操作し、印刷しようとする画像のメインとなる被写体の種類を選択することができる。選択には、たとえば、人物、風景、花（マクロ）、金属がある。あるいは、調整に慣れているユーザーは、手動調整部の調整バーを動かして、色調やコントラストを調整することができる。この場合、シーン選択よりも手動調整部が優先される。
【００５１】
以下に、図６を用いて、ユーザーがシーンを選択することにより、色調やコントラストを調整するための方法を説明する。まず、ステップＳ１０２において、ユーザーが印刷設定画面を起動し、モノクロ写真モードを選択することにより、本処理が開始される。ステップＳ１０３においてモノクロ写真モードでないと判定されると、自動的にカラーモードの処理が行われる（ステップＳ１０４）。モノクロ写真モードであると判定されると、ステップＳ１０５に進み、手動調整部が設定されているか否かの判定がなされる。手動調整部はユーザーが好みの調子に調整したものであり、手動調整部が設定されていたら、手動調整部において設定されているパラメータが色変換処理部にセットされ（ステップＳ１１７）、色変換処理を行う（ステップＳ１１８）。手動調整部が設定されていなかったら、ステップＳ１０６において、どのようなシーン設定がされているかを判定する。ステップＳ１１２〜Ｓ１１６において、選択されたシーンに応じて、色調調整パラメータ、コントラスト調整パラメータがセットされる。これらは図９に示すように、シーンごとにあらかじめ設定され、プリンタドライバ内に記憶されている。ステップＳ１１８ではセットされたパラメータで色変換され、さらに、あらかじめ印刷モードごとに定められた、インク色への変換テーブルを使用してインク印刷データに変換され、プリントされる（ステップＳ１１９）。
【００５２】
セットされたシーンに応じて、手動調整部のバーが動き、現状セットされている値が表示されるとなお良い。これにより、ユーザーはシーン選択によるプリセット値による調整からさらに微調整することができる。この場合、ある程度被写体に応じて好ましい値がセットされているので、ユーザーは試行錯誤の回数が少なく、好ましい色調やコントラストに調整することができる。
【００５３】
（第２の実施形態）
以下に、本発明の第２の実施形態を説明する。本実施形態においても、図１〜図４で説明した構成のインクジェット記録装置を適用する。
【００５４】
第１の実施形態において、ユーザーがシーンを設定し、そのシーンごとにモノクロ写真の色調／コントラスト変換を自動で行う例を示した。
【００５５】
本実施例においては、さらに自動処理を発展させ、被写体のなかから顔画像を判別し、自動的に人物が写っている写真か否かを判定し、好ましいモノクロ写真の色調／コントラストを設定する例を示す。
【００５６】
図７に本実施形態における、パラメータセット方法のフローチャートを示す。ステップＳ１０１〜Ｓ１０５およびＳ１１７〜Ｓ１２０は実施形態１と同様の処理を行うステップであり、同一の記号で説明する。
【００５７】
実施形態１と同じように、モノクロ写真モードであり、手動調整部が設定されていないと判定されると、次に被写体を走査し、顔画像を検出する（ステップＳ２０１）。顔が検出されれば、人物写真とみなし（ステップＳ２０３）、検出されなければ人物写真以外と判定される（ステップＳ２０２）。人物写真以外と判定されると、実施形態１で示した図９の、パラメータＡ（純黒、ニュートラル）がセットされる（ステップＳ２０４）。人物写真であると判定されると、図９の、人物写真のパラメータである、パラメータＢがセットされる（ステップＳ２０５）。
【００５８】
ステップＳ１１８では実施形態１と同様にセットされたパラメータに応じて色変換がなされ、プリントされる。
【００５９】
このときに使用する顔検出手法としては、すでに様々な手法が提案されている。
特開２００２−１８３７３１によれば、入力画像から目領域を検出し、目領域周辺を顔候補領域とする。該顔候補領域に対して、画素毎の輝度勾配、および輝度勾配の重みを算出し、これらの値が、あらかじめ設定されている理想的な顔基準画像の勾配、および勾配の重みと比較した時に、各勾配間の平均角度が所定の閾値以下であった場合、入力画像は顔領域を有すると判定する方法が記載されている。
【００６０】
さらに、特開平８−６３５９７によれば、複数の顔の形状をしたテンプレートと画像とのマッチング度を計算し、マッチング度が最も高いテンプレートを選択し、最も高かったマッチング度があらかじめ定められた閾値以上であれば、選択されたテンプレート内の領域を顔候補領域とする。同テンプレートを用いるこことで、目の位置を検出することが可能であるとしている。
【００６１】
さらに、特開２０００−１０５８２９によれば、まず、鼻画像パターンをテンプレートとし、画像全体、あるいは画像中の指定された領域を走査し最もマッチする位置を鼻の位置として出力する。次に、画像の鼻の位置よりも上の領域を目が存在する領域と考え、目画像パターンをテンプレートとして目存在領域を走査してマッチングをとり、ある閾値よりもマッチ度が度置きい画素の集合である目存在候補位置集合を求める。さらに、目存在候補位置集合に含まれる連続した領域をクラスタとして分割し、各クラスタと鼻位置との距離を算出する。その距離が最も短くなるクラスタを目が存在するクラスタと決定することで、器官位置の検出が可能であるとしている。
【００６２】
その他、顔および器官位置を検出する方法としては、数多くの手法が提案されている。本実施形態では特に手法を限定はしない。
【００６３】
また、さらに微調整したいユーザーのために、プリセット値をプリンタドライバ内に記憶しておき、ユーザーの手動調整のスタート地点としても良い。あらかじめ、好ましい調整値がプリセットされているので、ユーザーは試行錯誤の回数が少なく、好ましい色調やコントラストに調整することができることは実施形態１と同様である。
【００６４】
以上説明したように、本実施形態によれば、ユーザーはモノクロ写真モードを選択するだけで、他に設定することなく、人物写真に最適な色調、コントラストで好ましいモノクロ写真をプリントすることができる。
【００６５】
（第３の実施形態）
第２の実施形態において、顔検出手段により、自動的に人物写真を検出し、好ましいモノクロ写真の色調やコントラストをセットする方法を開示した。
【００６６】
顔検出の代わりに、元画像データの空間周波数を計算し、その結果に応じて判別し、好ましい色調やコントラストをセットする方法でも良い。
【００６７】
図８に本実施形態における、パラメータ設定のフローチャートを示す。実施形態２のステップＳ２０１における顔検出ステップの変わりに、空間周波数計算ステップ（Ｓ３０１）を設ける。空間周波数は高いほど、細かい部分の多い画像ということになる。たとえば、森の木の写真や、都市のビルの写真などが上げられる。そのような画像の場合、コントラストが高い（硬調）写真が好まれる。本実施形態では、図１０に示すように、純黒調でニュートラルなコントラストのパラメータＡと、純黒調で硬調なコントラストのパラメータＦをあらかじめ備える。空間周波数計算ステップＳ３０１において空間周波数が計算され、ステップＳ３０４において空間周波数が高いと判定された画像は、ステップＳ３０６において、パラメータＦがセットされる。これにより、空間周波数の高い、細かい部分の多い画像は硬調にセットされ、より好ましい写真画像がプリントできる。
【００６８】
（第４の実施形態）
第1および第2、第3の実施形態では、ユーザーの選択、および、画像を解析することにより、被写体の特徴を判定し、色調および／またはコントラストの好ましい調整値をセットする方法を説明した。
【００６９】
デジタルカメラで撮影された画像に付属する、撮影条件情報をもとに判定する方法も有効である。
【００７０】
近年、ポートレート、風景、夜景といった撮影シーンに応じた撮影モードを備えるデジタルカメラが実用化されている。これらデジタルカメラでは、撮影モードが選択されると、シャッター速度、露出等の複数の撮影パラメータの値が選択された撮影モードに応じて予め設定された値に設定される。したがって、撮影者は、撮影パラメータを個別に設定する必要がなく、簡易に撮影シーンに応じた撮影条件にて被写体を撮影することができる。選択された撮影モードは、撮影条件情報として、撮影画像データのヘッダ相当部に記述される。
【００７１】
撮影条件情報を解析することにより、例えば、撮影画像がポートレートモードで撮影されたと判定されれば、図９におけるパラメータB（人物用）がセットされる。これにより、被写体に適した好ましい色調および／またはコントラストのモノクロ写真のプリントが行える。ポートレートモードだけではなく、風景モード、マクロモードなど他のモードで撮影されたと判定された場合にも、それぞれに最適な色調／コントラストの変換パラメータがセットされる。
【００７２】
（さらに他の実施形態）
本発明は、上述した各実施形態の機能を実現するように各種のデバイスを動作させるように該各種デバイスと接続された装置あるいはシステム内のコンピュータに、前記実施形態機能を実現するためのソフトウェアのプログラムコードを供給し、そのシステムあるいは装置のコンピュータ（ＣＰＵあるいはＭＰＵ）を格納されたプログラムに従って前記各種デバイスを動作させることによって実施したものも本発明の範疇に含まれる。
【００７３】
またこの場合、前記ソフトウェアのプログラムコード自体が前述した実施形態の機能を実現することになり、そのプログラムコード自体、およびそのプログラムコードをコンピュータに供給するための手段、例えばかかるプログラムコードを格納した記憶媒体は本発明を構成する。
【００７４】
かかるプログラムコードを格納する記憶媒体としては例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７５】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本発明の実施形態に含まれる。
【００７６】
さらに供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるＣＰＵ等が実際の処理の一部または全部を行い、その処理によって前述した実施形態の機能が実現される場合も本発明に含まれる。
【図面の簡単な説明】
【００７７】
【図１】本発明の第1の実施形態に適用可能なインクジェット記録装置の概観図である。
【図２】本発明の第1の実施形態に適用可能なプリントシステムの構成を示すブロック図である。
【図３】上記システムにおけるプリンタドライバの処理を示す図である。
【図４】印刷用データ作成処理１２１で行う、画像処理を説明する図である。
【図５】本発明の第1の実施形態に適用可能なプリンタドライバのユーザーインターフェースの例で、中間調画像を含む画面である。
【図６】本発明の第1の実施形態に適用可能な画像処理の流れを説明するフローチャートである。
【図７】本発明の第２の実施形態に適用可能な画像処理の流れを説明するフローチャートである。
【図８】本発明の第３の実施形態に適用可能な画像処理の流れを説明するフローチャートである。
【図９】選択されたシーンに応じて、色調調整パラメータ、コントラスト調整パラメータがセットされる変換テーブルである。
【図１０】空間周波数に応じて、色調調整パラメータ、コントラスト調整パラメータがセットされる変換テーブルである。
【符号の説明】
【００７８】
１  記録シート
２  インク回復装置
３  第１搬送ローラ
４  第２搬送ローラ
５ａ，５ｂ，５ｃ，５ｄ  インクタンク
６  キャリツジ
７  ベルト
８ａ，８ｂ  プーリ
９  ガイドシャフト
１０  キャリッジモーター
１００  ホストコンピュータ
１０１  アプリケーション
１０２  ОＳ（オペレーティングシステム）
１０３  プリンタドライバ
１０４  モニタドライバ
１０５  モニタ
１０６  プリンタ
１０７  ＨＤ
１０８  ＣＰＵ
１０９  ＲＡＭ
１１０  ＲＯＭ
１２０  画像種類判定処理
１２１  印刷用データ作成処理
１２２  パラメータ設定処理
２０１  モノクロ化処理部
２０２  色変換処理部
２０３  出力γ補正部
２０４  量子化処理部
【図１】
2008067296.tif 000003
【図２】
2008067296.tif 000004
【図３】
2008067296.tif 000005
【図４】
2008067296.tif 000006
【図５】
2008067296.tif 000007
【図６】
2008067296.tif 000008
【図７】
2008067296.tif 000009
【図８】
2008067296.tif 000010
【図９】
2008067296.tif 000011
【図１０】
2008067296.tif 000012